(57)【特許請求の範囲】
【請求項１】
縦方向に延びる中心軸線を有して内部に被処理液が供給される円筒状の濾過スクリーンと、この濾過スクリーンの内部に収容されて上記中心軸線回りに回転させられるスクリューと、上記濾過スクリーンの少なくとも外周部および底部を覆うように設けられて該濾過スクリーンとの間に上記被処理液から濾過された濾液を保持する濾液空間を形成する濾過容器とを備え、
上記スクリューの外周部には、該スクリューの外周部におけるスクリュー羽根の外周縁に長方形板状の取付座が接合され、この取付座と、長方形板状の押さえ板との間に挟み込まれるようにして複数の掻き取りチップがスクリューの内外周に進退可能に取り付けられて弾性を有する部材により上記濾過スクリーンの内周面に摺接可能とされていることを特徴とする縦型濾過濃縮装置。
【請求項２】
上記弾性を有する部材が、弾性を有する樹脂材料により形成された管状部材であることを特徴とする請求項１に記載の縦型濾過濃縮装置。
【請求項３】
上記掻き取りチップは、上記濾過スクリーンの内周面に摺接する部分の上記中心軸線方向に沿った断面が方形をなしていることを特徴とする請求項１または請求項２に記載の縦型濾過濃縮装置。
【発明の詳細な説明】
【技術分野】
【０００１】
本発明は、下水汚泥のような被処理液を濾過濃縮するための縦型濾過濃縮装置に関するものである。
【背景技術】
【０００２】
このような縦型濾過濃縮装置として、例えば特許文献１、２には、円筒状の濾過スクリーンが、その中心軸線を略鉛直方向に向けて処理タンク内に設置されるとともに、この濾過スクリーンの内部には、回転駆動されるスクリューが、濾過スクリーンの内周面に接近して旋回するように配置されたものが提案されている。このような縦型濾過濃縮装置においては、濾過スクリーンが被処理液と被処理液から濾過されて濾過容器内の濾液空間に保持された濾液に浸漬されるので、濾過面積を広く確保することができて効率的な濃縮濾過を行うことができる。
【先行技術文献】
【特許文献】
【０００３】
【特許文献１】特開平９−７５６１３号公報
【特許文献２】特開２００５−１２５１３８号公報
【発明の概要】
【発明が解決しようとする課題】
【０００４】
ところで、このような縦型濾過濃縮装置により被処理液として例えば上述のような下水汚泥を濾過濃縮する場合、特に連続して濾過濃縮運転を行うときには、濾過された固形分が濾過スクリーンの内周面に付着して目詰まりを起こし、濾過効率を低下させるとともにスクリューへの抵抗が増大してスクリューを回転駆動することができなくなり、運転不能に陥るおそれがある。
【０００５】
この点、特許文献１に記載された縦型濾過濃縮装置では、スクリューの外周部に突起部を形成して、この突起部に被処理液中の繊維などを付着堆積させることにより、この付着堆積した繊維によってブラシのように濾過スクリーンの内周面を擦って固形分を除去するようにしている。また、特許文献２に記載された縦型濾過濃縮装置では、スクリューの外周部にブラシそのものを取り付けて固形分を除去するようにしている。
【０００６】
しかしながら、このようなブラシや、ブラシのように突起部に付着堆積した繊維には、さらに被処理液中の繊維が絡まって堆積することになり、こうしてさらに絡まった繊維によってやはりスクリューへの抵抗が増大してしまうため、スクリューを回転駆動することができなくなって運転不能に陥ることが避けられない。また、このようなブラシや、被処理液中の繊維によってブラシを形成する突起部に代えて、例えばスクリューの外周部に固形分掻き取り用のチップやスクレーパを固定したとしても、固形分や濾過スクリーンとの接触によって短期間で摩耗を生じ、掻き取り能力が失われて目詰まりを防ぐことができなくなってしまう。
【０００７】
本発明は、このような背景の下になされたもので、下水汚泥のような被処理液を連続して濾過濃縮する場合でも、固形分による濾過スクリーンの目詰まりを長期に亙って防いで効率的な濃縮濾過性を維持することが可能な縦型濾過濃縮装置を提供することを目的としている。
【課題を解決するための手段】
【０００８】
上記課題を解決して、このような目的を達成するために、本発明は、縦方向に延びる中心軸線を有して内部に被処理液が供給される円筒状の濾過スクリーンと、この濾過スクリーンの内部に収容されて上記中心軸線回りに回転させられるスクリューと、上記濾過スクリーンの少なくとも外周部および底部を覆うように設けられて該濾過スクリーンとの間に上記被処理液から濾過された濾液を保持する濾液空間を形成する濾過容器とを備え、上記スクリューの外周部には、該スクリューの外周部におけるスクリュー羽根の外周縁に長方形板状の取付座が接合され、この取付座と、長方形板状の押さえ板との間に挟み込まれるようにして複数の掻き取りチップがスクリューの内外周に進退可能に取り付けられて弾性を有する部材により上記濾過スクリーンの内周面に摺接可能とされていることを特徴とする。
【０００９】
従って、このような縦型濾過濃縮装置では、スクリューの外周部に取り付けられる複数の掻き取りチップが、上述のようにスクリューに固定されているのではなく、スクリュー羽根の外周縁に接合された長方形板状の取付座と、長方形板状の押さえ板との間に挟み込まれるようにしてスクリューの内外周に進退可能に取り付けられ、弾性を有する部材によって濾過スクリーンの内周面に摺接可能とされているので、濾過スクリーンの内周面に付着した固形分を掻き取りチップに与えられる弾性力によって掻き取ることができる。しかも、こうして濾過スクリーンの内周面に掻き取りチップを摺接させて固形分を掻き取るので、被処理液中の繊維が付着堆積したり絡まったりすることもない。
【００１０】
さらに、掻き取りチップに摩耗が生じても、掻き取りチップに与えられる上記弾性力によって掻き取りチップが濾過スクリーンの内周面に追従させて摺接した状態を維持することができる。このため、長期に亙って連続運転しても確実に固形分の除去を図ることができ、濾過スクリーンの目詰まりによる濾過効率の低下やスクリューの抵抗増大を防ぐことができる。
【００１１】
ここで、上記掻き取りチップを上記濾過スクリーンの内周面に摺接させる弾性を有する部材としては、金属製のコイルバネ等を用いることも可能ではあるが、濾過スクリーンとともにスクリューが被処理液と濾液に浸漬される縦型濾過濃縮装置では、金属製の部材を用いると錆等の腐食が生じるおそれがあるので、例えばゴムチューブ等の弾性を有する樹脂材料により形成された管状部材を用いることが望ましい。また、掻き取りチップの上記濾過スクリーンの内周面に摺接する部分の上記中心軸線方向に沿った断面を方形に形成すれば、掻き取りチップに摩耗が生じても濾過スクリーンの内周面との摺接状態は一定に維持することができる。
【発明の効果】
【００１２】
以上説明したように、本発明によれば、長期に亙る連続運転でも濾過スクリーンの内周面に付着した固形分を確実に除去して目詰まりを防止することができ、高い濾過効率を維持するとともにスクリューの回転駆動力を軽減し、安定した被処理液の濾過濃縮を図ることができる。
【図面の簡単な説明】
【００１３】
【図１】本発明の一実施形態を示す側断面図である。
【図２】図１に示す実施形態のスクリューを斜め上側から見た斜視図である。
【図３】図１に示す実施形態のスクリューを斜め下側から見た斜視図である。
【図４】図１に示す実施形態のスクリューの外周部を、(ａ）スクリューの螺旋に沿って見た側面図、（ｂ）下側から見た部分底面図である。
【図５】(ａ)掻き取りチップが付勢されていない状態の図４（ｂ）におけるＺＺ拡大断面図、（ｂ）掻き取りチップが付勢された状態の図４（ｂ）におけるＺＺ拡大断面図である。
【発明を実施するための形態】
【００１４】
図１ないし図５は、本発明の一実施形態を示すものである。なお、本実施形態において後述する「付勢部材」とは、上述のように掻き取りチップを濾過スクリーンの内周面に摺接させる弾性を有する部材を言うものとし、「付勢」とは、掻き取りチップがこの付勢部材によってスクリューの外周側に勢い付けられることにより、濾過スクリーンの内周面に摺接可能とされている状態を言うものとする。本実施形態の縦型濾過濃縮装置１は、縦方向に延びる中心軸線Ｏを有して内部に下水汚泥等の被処理液Ａが供給される円筒状の濾過スクリーン２と、この濾過スクリーン２の内部に収容されて上記中心軸線Ｏ回りに回転させられるスクリュー３と、濾過スクリーン２の少なくとも外周部および底部を覆うように設けられて濾過スクリーン２との間に被処理液Ａから濾過された濾液Ｂを保持する濾液空間Ｓを形成する濾過容器４とを備えている。
【００１５】
濾過スクリーン２は、パンチングメタルやウェッジワイヤ等の濾過材により形成されていて、被処理液Ａ中の液分である濾液Ｂは通過可能とされるとともに、被処理液Ａ中のある程度の大きさの固形分は通過不可能とされている。また、スクリュー３においては、中心軸線Ｏに沿って延びる回転軸３Ａの外周に螺旋状のスクリュー羽根３Ｂが取り付けられており、このスクリュー羽根３Ｂの外径は濾過スクリーン２の内径よりも僅かに小さくされている。
【００１６】
さらに、濾過容器４は、上記中心軸線Ｏを中心とした内接円の内径が濾過スクリーン２の外径よりも長い断面正方形等の有底の角筒状、または内径が濾過スクリーン２の外径よりも大きな有底の中心軸線Ｏを中心とした円筒状をなしていて、濾過スクリーン２の外周部と底部を覆い、この濾過容器４の内周面と濾過スクリーン２の外周面との間に上記濾液空間Ｓが形成される。これら濾過スクリーン２やスクリュー３、濾過容器４を始め、縦型濾過濃縮装置１の主な構成部材はステンレス鋼等の鋼材により形成されている。
【００１７】
なお、濾過容器４の底部は、本実施形態では濾液空間Ｓの底に位置する部分が中心軸線Ｏに垂直な平面上に延びる円環状とされる一方、濾過スクリーン２内の底部を覆う中央部４Ａは下方に突出して中心軸線Ｏを中心とした凹円錐状の漏斗形に形成されており、内周側に向かうに従い下方に向かうように傾斜が付けられている。さらに、この中央部４Ａの傾斜した部分には、被処理液Ａから濾過スクリーン２によって濾液Ｂが濾過されて濃縮された濃縮汚泥等の固形分濃度の高い濃縮液Ｃの排出管４Ｂが接続されている。
【００１８】
また、濾過容器４の上部には、濾過スクリーン２の外径よりも僅かに大きな内径の中心軸線Ｏを中心とした円形孔５Ａを有する水平な板状の隔壁５を介して、濾過容器４と同形同大の断面を有する筒状のケーシング６がシールされて設けられており、濾過スクリーン２も、その上下の端部が隔壁５の上記円形孔５Ａと濾過容器４の底面にそれぞれシールされた状態で、濾過容器４内に中心軸線Ｏ回りに回転可能に支持されている。さらにまた、このケーシング６の胴周部の中心軸線Ｏ方向略中央部には、上記被処理液Ａの供給管６Ａが接続されている。
【００１９】
さらに、ケーシング６の上部は蓋部６Ｂによって覆われていて、この蓋部６Ｂには、上記スクリュー３を中心軸線Ｏ回りに回転駆動するスクリュー回転手段７と、このスクリュー回転手段７とは独立して濾過スクリーン２を中心軸線Ｏ回りに回転駆動するスクリーン回転手段８とが備えられている。このうち、スクリュー回転手段７は、蓋部６Ｂ上に設けられたモータや減速器等を備えた駆動装置７Ａを有しており、この駆動装置７Ａがスクリュー３の中心軸線Ｏに沿って延びる回転軸３Ａに連結されて、この回転軸３Ａの外周に設けられて濾過スクリーン２内に収容された螺旋状のスクリュー羽根３Ｂごとスクリュー３を中心軸線Ｏ回りに回転させる。
【００２０】
また、スクリーン回転手段８は、ケーシング６内に収容されて下端部が濾過スクリーン２の上端部に接続されるとともに上端部外周にはフランジ状の従動歯車が取り付けられた中心軸線Ｏを中心とする円筒状の連結部材８Ａと、この連結部材８Ａの上記従動歯車に噛合する駆動歯車を備えたモータ等の駆動装置８Ｂとを有しており、この駆動装置８Ｂにより駆動歯車および従動歯車を介して連結部材８Ａごと濾過スクリーン２を回転させる。連結部材８Ａには、供給管６Ａからケーシング６内に供給された被処理液Ａを濾過スクリーン２内に導入する窓部８Ｃが周方向に間隔をあけて複数形成されている。
【００２１】
一方、濾過スクリーン２と濾過容器４との間の濾液空間Ｓには、被処理液Ａの濾過濃縮時に該濾過空間Ｓ内に洗浄液（洗浄水）を供給する洗浄液供給手段９が接続されている。本実施形態における洗浄液供給手段９は、濾過容器４の底面から中心軸線Ｏに平行に隔壁５の近くにまで延びるように立設された洗浄管であって、１本の洗浄管が濾過スクリーン２の外周面と間隔をあけて設けられていて、図示されない洗浄液（洗浄水）の供給管に接続されるとともに、この洗浄管の濾過スクリーン２に対向する部分には、濾過スクリーン２の外周面に向けて開口する複数（多数）のノズル９Ａが中心軸線Ｏ方向に間隔をあけて並ぶように設けられている。
【００２２】
また、濾過容器４の上部外周には、濾液空間Ｓに連通する濾液導入管１０Ａを介して濾液排出ボックス１０が取り付けられている。この濾液排出ボックス１０内は、濾液排出ボックス１０の底面から上方に延びる高さ調整可能な堰板１０Ｂによって、濾液空間Ｓ側の導入室１０Ｃと濾液空間Ｓの反対側の排出室１０Ｄとの２室に仕切られており、濾液導入管１０Ａは導入室１０Ｃの底部に接続されるとともに、排出室１０Ｄの底面には濾液排出管１０Ｅが接続されている。
【００２３】
このような本実施形態の縦型濾過濃縮装置１において、被処理液Ａは、濾過容器４の上部のケーシング６に接続された上記供給管６Ａからケーシング６内に供給され、さらにケーシング６内に収容された連結部材８Ａの上記窓部８Ｃから濾過スクリーン２内に供給されて、濾過スクリーン２内を重力落下およびスクリュー３の回転によって下方に移送されつつ、濾過スクリーン２によって濾液Ｂが固形分から分離して濾液空間Ｓに排出される。すなわち、本実施形態におけるスクリュー３の回転方向は、濾過スクリーン２内の被処理液Ａを下方に押し下げる方向となる。そして、このように下方に移送された被処理液Ａから濾液Ｂが分離した固形分濃度の高い濃縮液Ｃは、濾過容器４の底部中央部に接続された上記排出管４Ｂから抜き出されて排出される。
【００２４】
ここで、上記供給管６Ａからケーシング６内を介して濾過スクリーン２内に供給される被処理液Ａの液位は、濾過容器４の上端（濾液空間Ｓの上端）および濾液排出ボックス１０内の堰板１０Ｂの上端よりも高くなるように設定されていて、本実施形態ではケーシング６内の連結部材８Ａに形成された窓部８Ｃの下端縁よりも高い位置を維持するように設定されている。従って、濾過スクリーン２の内部は被処理液Ａにより、外部の濾液空間Ｓは濾液Ｂによりそれぞれ浸漬され、濾液Ｂは被処理液Ａとの液位差による圧力差によって濾過スクリーン２を通過して上述のように濾液空間Ｓに排出され、次いで濾液導入管１０Ａを通して濾液排出ボックス１０の導入室１０Ｃに導入されて、堰板１０Ｂを乗り越えて排出室１０Ｄにオーバーフローし、濾液排出管１０Ｅから排出される。
【００２５】
このようにして被処理液Ａの濾過濃縮を行ううちに、濾過スクリーン２の内周面には、被処理液Ａ中の汚泥等の固形分が付着して目詰まりを生じる。通常の濾過時における被処理液Ａと濾液Ｂとの圧力差は２．５ｋＰａ以下であるが、この圧力差が５〜１０ｋＰａ、あるいはそれ以上となると目詰まりが生じ易くなり、これは例えば１５〜５０ｋＰａ程度のスクリュープレスの圧入圧などと比べて低い。そして、このような目詰まりが生じると、濾過効率が低下するのは勿論、スクリュー３を回転駆動する際の抵抗が増大して、場合によってはスクリュー回転手段７によるスクリュー３の回転駆動が不可能となり、縦型濾過濃縮装置１を運転することができなくなるおそれがある。
【００２６】
これに対して、本実施形態では、スクリュー３の外周部に、このスクリュー３の外周側に弾性的に付勢されて濾過スクリーン２の内周面に摺接可能とされた複数の掻き取りチップ１１が取り付けられている。そして、これらの掻き取りチップ１１が、スクリュー３の回転に伴い、上述のように濾過スクリーン２の内周面に付着した固形分を常時掻き取って目詰まりの発生を防止する。
【００２７】
ここで、本実施形態では、図４に示すように、スクリュー３の外周部におけるスクリュー羽根３Ｂの下面の外周縁に、複数の長方形板状の取付座１２が、その長手方向をスクリュー羽根３Ｂの外周縁がなす螺旋に略沿わせるようにして、この螺旋の捩れ方向に等間隔に接合されている。そして、この取付座１２と、取付座１２のネジ孔１２Ａにねじ込まれる取付ボルト１３によって装着される長方形板状の押さえ板１４との間に挟み込まれるようにして、上記掻き取りチップ１１がスクリュー３の内外周に進退可能に取り付けられている。
【００２８】
取付座１２には、２つの上記ネジ孔１２Ａが、取付座１２の下面の長手方向両端部にそれぞれ形成されるとともに、押さえ板１４の長手方向両端部にも、取付ボルト１３のネジ部が挿通可能な大きさの２つの貫通孔１４Ａが、取付座１２の２つのネジ孔１２Ａの間隔と等間隔にそれぞれ形成されている。また、ネジ孔１２Ａにねじ込まれる取付ボルト１３の取付座１２と押さえ板１４との間のネジ部外周には、ステンレス鋼等からなる円筒状のバックアップパイプ１５が嵌め込まれている。
【００２９】
一方、掻き取りチップ１１は、ポリエチレン等の樹脂材料により形成され、図４（ａ）および図５に示すように断面が長方形状で、図４（ｂ）に示すように平面視には円弧形の板状をなしており、この掻き取りチップ１１がなす円弧の外周部の半径は、濾過スクリーン２の内周面の半径と略等しく設定されている。また、この掻き取りチップ１１には、上記バックアップパイプ１５が挿入可能な幅と、このバックアップパイプ１５の直径よりも大きな互いに等しい長さを有する４つの長孔１１Ａが、それぞれ図４（ｂ）に示す上記円弧の中心角の二等分線Ｌに平行に延びるように、この円弧が湾曲する方向に間隔をあけて形成されている。
【００３０】
このうち、掻き取りチップ１１の中央部の２つの長孔１１Ａの間隔は、１つの取付座１２（図４（ｂ）における中央の取付座１２）の２つのネジ孔１２Ａの間隔と等間隔とされている。また、これら中央部の２つの長孔１１Ａと、その両外側に形成された長孔１１Ａとのそれぞれの間隔は、上記１つの取付座１２の両端部のネジ孔１２Ａと、この１つの取付座１２の両端部側に隣接する他のそれぞれ１つの取付座１２（図４（ｂ）における上下の取付座１２）における該１つの取付座１２側のネジ孔１２Ａとの間の、１つの取付座１２の上記長手方向の間隔と等しく設定されている。
【００３１】
従って、このような掻き取りチップ１１は、上記中央部の２つの長孔１１Ａを上記１つの取付座１２の２つのネジ孔１２Ａと重ね合わせるとともに、両外側の２つの長孔１１Ａを上記１つの取付座１２の両側の他の１つずつの取付座１２の１つの取付座１２側のネジ孔１２Ａに重ね合わせて、これら合計３つの取付座１２の下面に配設することができる。なお、この状態で、スクリュー羽根３Ｂのねじれの方向に隣接する掻き取りチップ１１同士の間には、互いの干渉を避けるために小さな間隔があけられており、すなわち掻き取りチップ１１は、該掻き取りチップ１１がなす円弧の周方向（スクリュー羽根３Ｂのねじれの方向）に適宜分割されて形成されている。
【００３２】
そして、この状態から、ネジ部を押さえ板１４の貫通孔１４Ａとバックアップパイプ１５に挿入した２本の取付ボルト１３を各取付座１２の２つのネジ孔１２Ａにねじ込むことにより、掻き取りチップ１１は、バックアップパイプ１５が長孔１１Ａに挿入されるとともに取付座１２と押さえ板１４の間に挟み込まれて、スクリュー３外周部のスクリュー羽根３Ｂに取り付けられる。このとき、各掻き取りチップ１１は、長孔１１Ａが延びる範囲で上記二等分線Ｌ方向にスライドして、上述のようにスクリュー３の内外周に進退可能とされる。
【００３３】
さらに、こうして取り付けられる際に、掻き取りチップ１１の長孔１１Ａのスクリュー３における外周側の内縁部と上記バックアップパイプ１５との間には、掻き取りチップ１１をこのスクリュー３の外周側に付勢する付勢部材１６が介装される。この付勢部材１６は、本実施形態では弾性を有する樹脂材料により形成された管状部材であって、例えばゴムチューブである。
【００３４】
このような付勢部材１６は、長孔１１Ａのスクリュー３における内周側の内縁部をバックアップパイプ１５に当接させた状態で、管状部材の管の中心線が上記二等分線Ｌ方向と直交する方向に向けられて、外周側の内縁部とバックアップパイプ１５とに接するように介装される。この状態で、付勢部材１６は、図５（ａ）に示すように弾性変形せずに円管状を維持するか、あるいは僅かに上記二等分線Ｌ方向（図５（ａ）、（ｂ）における左右方向）に潰れた形状となる。
【００３５】
このように付勢部材１６が介装された掻き取りチップ１１をスクリュー３の内周側に押し込むと、図５（ｂ）に示すように付勢部材１６は上記二等分線Ｌ方向に短軸を有する断面楕円状または長円状に潰れて、その弾性力により掻き取りチップ１１をスクリュー３の外周側に付勢する。従って、スクリュー３を濾過スクリーン２の内部に収容する際には、図５（ａ）に示した状態でスクリュー３の中心軸線Ｏから掻き取りチップ１１の外周部までの半径が、濾過スクリーン２の中心軸線Ｏから内周面までの半径よりも例えば２ｍｍ程度大きくなるように設定しておいて、掻き取りチップ１１をスクリュー３の内周側に押し込みながら収容することにより、図５（ｂ）に示したように掻き取りチップ１１が外周側に付勢されて濾過スクリーン２の内周面に摺接した状態とすることができる。
【００３６】
このように構成された縦型濾過濃縮装置１においては、スクリュー３の外周部に取り付けられた複数の掻き取りチップ１１が、スクリュー３の外周側に付勢されて濾過スクリーン２の内周面に摺接可能とされているので、この濾過スクリーン２の内周面に被処理液Ａ中の固形分が付着しても、これを掻き取りチップ１１によって常時掻き取って除去することができ、濾過スクリーン２に目詰まりが生じるのを防ぐことができる。また、このように濾過スクリーン２に摺接する掻き取りチップ１１によって固形分を掻き取るので、被処理液Ａが下水汚泥などであっても被処理液Ａ中の繊維が掻き取りチップ１１に絡まるようなこともない。
【００３７】
従って、上記構成の縦型濾過濃縮装置１によれば、固形分の目詰まりによって濾過スクリーン２の濾過面積が減少するのを防いで、このような縦型濾過濃縮装置１において濾過スクリーン２が被処理液Ａおよび濾液Ｂに浸漬されることによる高い濾過効率を維持することができる。さらに、固形分の濾過スクリーン２内周面への付着によってスクリュー３の回転抵抗が増大するのも抑えることができ、スクリュー回転手段７における駆動力の軽減を図って効率的かつ経済的な縦型濾過濃縮装置１の運転を行うことができる。
【００３８】
また、掻き取りチップ１１は、濾過スクリーン２を形成するステンレス鋼等の鋼材よりも軟質なポリエチレン等の樹脂材料より形成されていて、摺接により濾過スクリーン２を損傷することがない一方で自身は摩耗することになるが、上述のようにスクリュー３の外周側に付勢されているので、摩耗しても濾過スクリーン２の内周面への摺接は確実に維持することができる。このため、上記構成の縦型濾過濃縮装置１によれば、長期に亙る連続運転を行っても、掻き取りチップ１１による固形分の除去性能が損なわれることがなく、確実に効率的な被処理液Ａの濾過濃縮を行うことができる。
【００３９】
しかも、本実施形態では、掻き取りチップ１１が断面長方形状をなしていて、濾過スクリーン２の内周面に摺接する部分の中心軸線Ｏに沿った断面も方形に形成されており、この濾過スクリーン２の内周面に摺接する部分が摩耗しても摺接面積が変動するようなことがなく、一定の摺接状態を維持することができる。このため、長期に亙る連続運転でも、安定的に付着した固形分を除去して、目詰まりによる濾過効率の低下やスクリューの抵抗増大を防ぐことができる。
【００４０】
さらに、本実施形態では、このように掻き取りチップ１１をスクリュー３の外周側に付勢して濾過スクリーン２の内周面に摺接させる付勢部材１６として、金属製のコイルバネなどではなく、ゴムチューブのような弾性を有する樹脂材料により形成された管状部材を用いている。このため、濾過スクリーン２とともにスクリュー３が常に被処理液Ａや濾液Ｂに浸漬されていても腐食による劣化が生じることが少なく、長期に亙って付勢力を維持して一層安定した連続運転を可能とすることができる。
【００４１】
さらにまた、本実施形態では、濾過スクリーン２と濾過容器４との間に形成される濾液空間Ｓに洗浄液供給手段９が接続されており、濾過スクリーン２が被処理液Ａに浸漬された運転状態で洗浄液供給手段９から洗浄液を濾液空間Ｓ内に供給することにより、この濾液空間Ｓ内の濾液Ｂの撹拌と濾液Ｂの希釈または洗浄液との置換を行って、濾液空間Ｓ内に浮遊する固形分を濾液導入管１０Ａから濾液排出ボックス１０を介して濾液排出管１０Ｅより速やかに排出することができる。
【００４２】
また、本実施形態における洗浄液供給手段９は濾液空間Ｓ内に立設された洗浄管であって、そのノズル９Ａが濾過スクリーン２の外周面に向けられており、運転中にノズル９Ａから洗浄液を噴出しつつ、スクリーン回転手段８によって濾過スクリーン２を中心軸線Ｏ回りに回転させて洗浄液供給手段（洗浄管）９と濾過スクリーン２を相対的に移動させることにより、掻き取りチップ１１による固形分の除去とも相俟って濾過スクリーン２の目詰まりを防止することもできる。なお、このような洗浄液供給手段９による洗浄液の供給は、例えば１時間に１回などタイマー制御によって定期的に一定時間ずつ行ってもよく、また被処理液Ａと濾液Ｂの圧力差を測定してこの圧力差が例えば上述した通常濾過時の圧力差２．５ｋＰａに対して３．０ｋＰａを超えて上昇したときに自動的に洗浄液を供給するようにしてもよい。
【００４３】
さらに、例えば洗浄管の中心軸線Ｏ方向の上下いずれか一方の側のノズル９Ａからの洗浄液の供給量を他方の側よりも多くしたり、いずれか一方の側のノズル９Ａからのみ洗浄液を供給したりするようにして、この一方の側から他方の側に向けて濾液空間Ｓ中の固形分を効率的に排出するようにしてもよい。勿論、この洗浄液供給手段９を、運転停止時に濾過容器４内から被処理液Ａおよび濾液Ｂを排出した状態で濾過スクリーン２の洗浄を行うのに用いてもよい。
【００４４】
なお、本実施形態のような縦型濾過濃縮装置１によって濾過濃縮される被処理液Ａとしては、固形分濃度が４．０ｗｔ％以下のものが望ましい。これよりも固形分濃度が高いと、濾過スクリーン２の内周面に付着した固形分を掻き取りチップ１１によって掻き取っても、直ぐに固形分が再び付着して濾過効率が低減するとともに、掻き取りチップ１１の摩耗も顕著となって頻繁に交換を余儀なくされるおそれがあり、さらには掻き取りチップ１１がスムーズに進退せずに適切な付勢力を維持できなくなるおそれもある。
【符号の説明】
【００４５】
１  縦型濾過濃縮装置
２  濾過スクリーン
３  スクリュー
３Ａ  回転軸
３Ｂ  スクリュー羽根
４  濾過容器
７  スクリュー回転手段
８  スクリーン回転手段
９  洗浄液供給手段
１０  濾液排出ボックス
１１  掻き取りチップ
１２  取付座
１３  取付ボルト
１４  押さえ板
１５  バックアップパイプ
１６  付勢部材
Ｏ  濾過スクリーン２の中心軸線
Ａ  被処理液
Ｂ  濾液
Ｃ  濃縮液
Ｓ  濾液空間
【要約】
【課題】下水汚泥のような被処理液を連続して濾過濃縮する場合でも、固形分による濾過スクリーンの目詰まりを長期に亙って防いで効率的な濃縮濾過性を維持する。
【解決手段】縦方向に延びる中心軸線Ｏを有して内部に被処理液Ａが供給される円筒状の濾過スクリーン２と、この濾過スクリーン２の内部に収容されて中心軸線Ｏ回りに回転させられるスクリュー３と、濾過スクリーン２の少なくとも外周部および底部を覆うように設けられて濾過スクリーン２との間に被処理液Ａから濾過された濾液Ｂを保持する濾液空間Ｓを形成する濾過容器４とを備え、スクリュー３の外周部には、このスクリュー３の外周側に付勢されて濾過スクリーン２の内周面に摺接可能とされた複数の掻き取りチップ１１が取り付けられている。
【選択図】図１【図１】
0006037319.tif 000002
【図２】
0006037319.tif 000003
【図３】
0006037319.tif 000004
【図４】
0006037319.tif 000005
【図５】
0006037319.tif 000006